(57)【要約】      （修正有）【課題】開封作業が簡単で、開封時にゴミが発生せず、また、返却時に再隠蔽を簡単に行い得る情報隠蔽帳票を提供する。【解決手段】下層紙片３の綴じ合せ辺縁５に対向する一辺縁を、上層紙片２より外側方に突出させて貼着辺縁７とするとともに、下層紙片に前記綴じ合せ辺縁と平行する易折り曲げ線１６を形成し、上層紙片と下層紙片の、前記易折り曲げ線に直交する二辺縁のうち、易折り曲げ線より綴じ合せ辺縁側に位置する部分辺縁相互を剥離不能に接合して強接合部１７とする一方、前記二辺縁のうち、前記易折り曲げ線より貼着辺縁側に位置する部分辺縁相互と、貼着辺縁の内側に位置する上層紙片と下層紙片の一辺縁相互とを剥離可能に接合して弱接合部１８とした。開封時には弱接合部を剥離して開封でき、再封止時には易折り曲げ線で上層紙片と下層紙片を谷折りにすることにより、下層紙片の貼着辺縁を粘着層を介して上層紙片の対向面に接合させる。【選択図】図１
2007307854.tif 000002
【特許請求の範囲】
【請求項１】
上層紙片と下層紙片間に秘匿情報が複写印字される単一または複数の秘匿紙片が介装され、各紙片の一辺縁を綴じ合せ辺縁として相互に接合して各紙片が一体化されるとともに、該綴じ合せ辺縁を除く上層紙片と下層紙片の三辺縁を接合して、該三辺縁の接合部より内側に位置するように小形に形成された秘匿紙片を封入することにより、該秘匿紙片に複写印字した秘匿情報を隠蔽するようにした情報隠蔽帳票において、
下層紙片の前記綴じ合せ辺縁に対向する一辺縁を、上層紙片より所定幅に亘って外側方に突出させて貼着辺縁とし、該貼着辺縁に剥離紙を剥離可能に被着した粘着層が形成されるとともに、下層紙片に、前記綴じ合せ辺縁と平行する易折り曲げ線が形成され、上層紙片と下層紙片の、前記易折り曲げ線に直交する二辺縁のうち、該易折り曲げ線より綴じ合せ辺縁側に位置する部分辺縁相互が剥離不能に接合される一方、前記二辺縁のうち、前記易折り曲げ線より貼着辺縁側に位置する部分辺縁相互と、貼着辺縁の内側に位置する上層紙片と下層紙片の一辺縁相互とが剥離可能に接合され、さらに秘匿紙片には、綴じ合せ辺縁の内側位置に該綴じ合せ辺縁に沿う易切断線が形成されていることを特徴とする情報隠蔽帳票。
【請求項２】
易折り曲げ線が、下層紙片を略二分割する位置に形成されていることを特徴とする請求項１記載の情報隠蔽帳票。
【請求項３】
貼着辺縁の内側位置に該貼着辺縁に沿う易折り返し線が形成され、易折り曲げ線が、前記易折り返し線と綴じ合せ辺縁の外端間を略二分割する位置に形成されていることを特徴とする請求項１記載の情報隠蔽帳票。
【請求項４】
上層紙片の上面に、秘匿紙片に形成された秘匿情報複写印字欄と上下で一致する秘匿情報印字案内欄を備えた印字案内紙片が分離可能に配設されていることを特徴とする請求項１乃至請求項３の何れかに記載の情報隠蔽帳票。
【発明の詳細な説明】
【技術分野】
【０００１】
本発明は、取扱い性に優れた情報隠蔽帳票に関する。
【背景技術】
【０００２】
個別的な秘匿情報を予め印字して交付し、被交付者が署名捺印して返却する米穀の出荷契約書等に用いられる情報隠蔽帳票が知られている。かかる情報隠蔽帳票Ｂは、図１０，図１１に示すように、上層紙片ａと下層紙片ｂ間に秘匿情報が複写印字される複数の秘匿紙片ｃ，ｄが介装され、各紙片ａ，ｂ，ｃ，ｄの一辺縁を綴じ合せ辺縁ｅとして相互に接合して各紙片ａ，ｂ，ｃ，ｄが一体化されるとともに、該綴じ合せ辺縁ｅを除く上層紙片ａと下層紙片ｂの三辺縁ｆ，ｇ，ｈを接合して、該三辺縁ｆ，ｇ，ｈの接合部より内側に位置するように小形に形成された秘匿紙片ｃ，ｄを封入することにより、該秘匿紙片ｃ，ｄに複写印字した秘匿情報を隠蔽し得るようになっている。
【０００３】
ここで、前記綴じ合せ辺縁ｅ及び三辺縁ｆ，ｇ，ｈは、接着剤層ｊによって夫々剥離不能に接合されており、この三辺縁ｆ，ｇ，ｈの接合部の内側には、該三辺縁ｆ，ｇ，ｈの切り取りを容易とするミシン目からなる易切断線ｋ，ｍ，ｎが夫々形成されている。また、前記上層紙片ａの上面には、秘匿紙片ｃ，ｄに形成された秘匿情報複写印字欄と上下で一致する位置に秘匿情報印字案内欄を備えた印字案内紙片ｐが分離可能に配設されている。
【０００４】
このような構成からなる従来の情報隠蔽帳票Ｂを、例えば米穀の出荷契約書として形成した場合の使用方法について説明する。先ず、一方の契約当事者である農業共同組合が、印字案内紙片ｐの上面の秘匿情報印字案内欄を含む所定箇所に、ドットプリンタを用いて生産者の住所氏名や前年度実績等のデータを印字すると、各紙片間の複写機能を介して、上層紙片ａには生産者の住所氏名データのみが複写印字され、また、契約書である秘匿紙片ｃ，ｄには生産者の住所氏名や前年度実績等のデータが夫々複写印字される。この場合、秘匿紙片ｃ，ｄの秘匿情報複写印字欄に複写印字される前年度実績データが第三者に知られたくない個別的な秘匿情報となるが、秘匿紙片ｃ，ｄが上層紙片ａと下層紙片ｂ間に封入されていることにより、該秘匿情報を第三者の目から隠蔽することができる。
【０００５】
前記印字後、農業共同組合は、上面の印字案内紙片ｐを分離して控えとし、残りの情報隠蔽帳票Ｂを他方の契約当事者である当該生産者に交付する。情報隠蔽帳票Ｂを持ち帰った生産者は、図１２（ａ）に示すように、易切断線ｋ，ｍ，ｎで情報隠蔽帳票Ｂの三辺縁ｆ，ｇ，ｈを切り取って開封し、予め印刷されている契約内容の確認や所要事項の記入を行った後、契約書である秘匿紙片ｃの所定箇所に署名捺印する（図１２（ｂ），（ｃ）参照）。この時、秘匿紙片ｃ，ｄ間の複写機能を介して、下側の秘匿紙片ｄに生産者の署名や記入した所要事項が複写される。そして、このように二通作成された同一内容の契約書のうち、その一方の契約書である秘匿紙片ｄを切り取って生産者の控えとして保管し、他方の契約書である秘匿紙片ｃを備えた情報隠蔽帳票Ｂを農業共同組合に返却する。
【０００６】
この返却に際して、秘匿紙片ｃに予め複写印字されている前記秘匿情報や生産者が記入した所要事項等の個人情報を隠蔽するために、情報隠蔽帳票Ｂを別途用意された封筒に入れて密封したり、或いは、図１２（ｄ）に示すように、綴じ合せ辺縁ｅ以外の三辺を粘着テープｒで接合して上層紙片ａと下層紙片ｂ間に秘匿紙片ｃを再度封入した状態で、返却するようにしている。
【発明の開示】
【発明が解決しようとする課題】
【０００７】
上記のような従来の情報隠蔽帳票Ｂにあっては、交付を受けた生産者が開封するに際して、ミシン目からなる易切断線ｋ，ｍ，ｎで情報隠蔽帳票Ｂの三辺縁ｆ，ｇ，ｈを切り取らなければならないため、開封作業が面倒な上、切り取った三辺縁ｆ，ｇ，ｈがゴミとなるという問題点があった。また、返却時に、情報隠蔽帳票Ｂを封筒に入れて密封する場合には、封筒を別途用意する必要があり、粘着テープｒを用いて密封する場合には、粘着テープｒが必要であり、かつ、その貼着作業が面倒な上、返却後の開封時に内部に封入されている秘匿紙片ｃを破損させる虞があるという問題点があった。
【０００８】
本発明は、かかる従来の問題点を解消するためになされたものであって、開封作業が簡単で、開封時にゴミが発生せず、また、返却時において封筒や粘着テープを用いることなく、秘匿紙片の再隠蔽を簡単に行い得るとともに、返却後の再開封時においても内容物を破損させる虞のない取扱い性に優れた情報隠蔽帳票を提供することを目的とするものである。
【課題を解決するための手段】
【０００９】
本発明は、上層紙片と下層紙片間に秘匿情報が複写印字される単一または複数の秘匿紙片が介装され、各紙片の一辺縁を綴じ合せ辺縁として相互に接合して各紙片が一体化されるとともに、該綴じ合せ辺縁を除く上層紙片と下層紙片の三辺縁を接合して、該三辺縁の接合部より内側に位置するように小形に形成された秘匿紙片を封入することにより、該秘匿紙片に複写印字した秘匿情報を隠蔽するようにした情報隠蔽帳票において、下層紙片の前記綴じ合せ辺縁に対向する一辺縁を、上層紙片より所定幅に亘って外側方に突出させて貼着辺縁とし、該貼着辺縁に剥離紙を剥離可能に被着した粘着層が形成されるとともに、下層紙片に、前記綴じ合せ辺縁と平行する易折り曲げ線が形成され、上層紙片と下層紙片の、前記易折り曲げ線に直交する二辺縁のうち、該易折り曲げ線より綴じ合せ辺縁側に位置する部分辺縁相互が剥離不能に接合される一方、前記二辺縁のうち、前記易折り曲げ線より貼着辺縁側に位置する部分辺縁相互と、貼着辺縁の内側に位置する上層紙片と下層紙片の一辺縁相互とが剥離可能に接合され、さらに秘匿紙片には、綴じ合せ辺縁の内側位置に該綴じ合せ辺縁に沿う易切断線が形成されていることを特徴とする情報隠蔽帳票である。
【００１０】
ここで、下層紙片に形成される綴じ合せ辺縁と平行する易折り曲げ線には、ミシン目や、紙厚を線状に圧縮した加圧加工線が適用され得る。また、秘匿紙片に形成される易切断線は、秘匿紙片の切り離しを容易とするものであって、これには、ミシン目や、紙厚を切断しない程度の切込みとして形成されるハーフカット線が適用され得る。
【００１１】
上記情報隠蔽帳票にあって、易折り曲げ線を、下層紙片を略二分割する位置に形成する構成が提案される。
【００１２】
また、上記構成に代えて、貼着辺縁の内側位置に該貼着辺縁に沿う易折り返し線を形成し、易折り曲げ線を、前記易折り返し線と綴じ合せ辺縁の外端間を略二分割する位置に形成する構成が提案される。ここで、易折り返し線には、ミシン目や、紙厚を線状に圧縮した加圧加工線が適用され得る。
【００１３】
さらに、上層紙片の上面に、秘匿紙片に形成された秘匿情報複写印字欄と上下で一致する秘匿情報印字案内欄を備えた印字案内紙片を分離可能に配設する構成が提案される。
【発明の効果】
【００１４】
本発明は、上述したように、下層紙片の綴じ合せ辺縁に対向する一辺縁を、上層紙片より所定幅に亘って外側方に突出させて貼着辺縁とし、該貼着辺縁に剥離紙を剥離可能に被着した粘着層が形成されるとともに、下層紙片に、前記綴じ合せ辺縁と平行する易折り曲げ線が形成され、上層紙片と下層紙片の、前記易折り曲げ線に直交する二辺縁のうち、該易折り曲げ線より綴じ合せ辺縁側に位置する部分辺縁相互が剥離不能に接合される一方、前記二辺縁のうち、前記易折り曲げ線より貼着辺縁側に位置する部分辺縁相互と、貼着辺縁の内側に位置する上層紙片と下層紙片の一辺縁相互とが剥離可能に接合され、さらに秘匿紙片には、綴じ合せ辺縁の内側位置に該綴じ合せ辺縁に沿う易切断線が形成されている情報隠蔽帳票であるから、情報隠蔽帳票の交付時に、上層紙片上から秘匿紙片に個別的な秘匿情報を複写印字すると、秘匿紙片が上層紙と下層紙間に封入されていることにより、該秘匿情報を第三者の目から隠蔽することができる。この隠蔽状態で情報隠蔽帳票を持ち帰った被交付者は、剥離可能に接合されている上層紙片と下層紙片の三辺縁部分を剥離することによって情報隠蔽帳票を開封でき、従来構成のように開封に際して三辺縁を切り取る必要がないため、その開封作業が容易であり、ゴミが発生することもない。ここで、上記のように開封すると、上層紙片と下層紙片の剥離不能に接合されている部分辺縁相互と、綴じ合せ辺縁とによって上層紙片と下層紙片を袋状にすることができる。また、秘匿紙片には、綴じ合せ辺縁の内側位置に該綴じ合せ辺縁に沿う易切断線が形成されているので、開封後、秘匿紙片を外側方に引張することによってその切り離しを容易に行うことができる。
【００１５】
そして、切り離した秘匿紙片に対して署名捺印等の所要作業を施した後、該秘匿紙片を二つ折り等に折り畳んで前記上層紙片と下層紙片とで構成された袋状部内に装入することにより、秘匿紙片を該袋状部内に保持させることができる。次いで、このように秘匿紙片を袋状部内に保持させた状態で、貼着辺縁の剥離紙を剥がして粘着層を露出させるとともに、下層紙片に形成されている易折り曲げ線で上層紙片と下層紙片を、上層紙片が内側となるように谷折りにすることにより、下層紙片の貼着辺縁が上層紙片の対向面に粘着層を介して接合されて、秘匿紙片を封入することができる。これにより、返却時において、従来構成のように封筒や粘着テープを用いることなく、秘匿紙片の再隠蔽を簡単に行うことができる。また、易折り曲げ線で上層紙片が内側となるように谷折りにした上層紙片と下層紙片は、下層紙片の貼着辺縁が上層紙片の対向面に接合されているだけであり、易折り曲げ線部を除く三辺縁が全て接合されているものではないため、再開封に際して、接合されていない二辺縁の何れかから上層紙片と下層紙片間にペーパーナイフやカッターナイフを差し入れて易折り曲げ線部を外側方に切り裂くことによって、内部に封入されている秘匿紙片を破損させることなく、簡単に開封することができる。
【００１６】
ここで、前記易折り曲げ線を、下層紙片を略二分割する位置に形成する構成にあっては、上述した秘匿紙片の再隠蔽に際して、貼着辺縁の剥離紙を剥がして粘着層を露出させた状態で、易折り曲げ線で上層紙片と下層紙片を二つ折りにすることにより、下層紙片の貼着辺縁を上層紙片の対向面に粘着層を介して簡単に接合することができる。即ち、易折り曲げ線は、上層紙片と下層紙片を二つ折りにする位置の目安となるとともに、下層紙片を略二分割する位置で、その折り曲げ操作を容易に行い得るものとなる。
【００１７】
一方、貼着辺縁の内側位置に該貼着辺縁に沿う易折り返し線を形成し、易折り曲げ線を、前記易折り返し線と綴じ合せ辺縁の外端間を略二分割する位置に形成する構成にあっては、上述した秘匿紙片の再隠蔽に際して、貼着辺縁の剥離紙を剥がして粘着層を露出させた状態で、易折り曲げ線で上層紙片と下層紙片を上層紙片が内側となるように谷折りにするとともに、易折り返し線で貼着辺縁を綴じ合せ辺縁の裏面側に折り返して、該貼着辺縁を綴じ合せ辺縁の裏面に粘着層を介して接合することにより、再開封に際して、上層紙片と下層紙片間に差し入れたペーパーナイフやカッターナイフによって、易折り曲げ線部と易折り返し線部の何れの側でも外側方に切り裂くことができる。これにより、再開封作業をより簡単に行うことが可能となる。
【００１８】
さらに、上層紙片の上面に、秘匿紙片に形成された秘匿情報複写印字欄と上下で一致する秘匿情報印字案内欄を備えた印字案内紙片を分離可能に配設する構成にあっては、印字案内紙片の秘匿情報印字案内欄に秘匿情報を印字することにより、秘匿紙片の秘匿情報複写印字欄に秘匿情報を正確に複写印字することができる。
【発明を実施するための最良の形態】
【００１９】
以下に、本発明にかかる情報隠蔽帳票を、米穀の出荷契約書として形成した場合の第一実施例を、図１〜図６に基づいて説明する。
情報隠蔽帳票１Ａは、横長矩形状に形成された上層紙片２と下層紙片３との間に、同じく横長矩形状で若干小形に形成された二枚の秘匿紙片４ａ，４ｂが介装されており、各紙片２，３，４ａ，４ｂは図中左端の一片縁を綴じ合せ辺縁５とし、図２に示すように、各綴じ合せ辺縁５を揃えて糊６で相互に接合することにより一体化されている。
【００２０】
ここで、上層紙片２と下層紙片３は、図１に示すように、その縦幅が同一寸法に形成される一方、下層紙片３には、綴じ合せ辺縁５に対向する図中右端の一辺縁に、上層紙片２より所定幅に亘って外側方に突出する貼着辺縁７が連成されており、該貼着辺縁７に剥離紙８を剥離可能に被着した粘着層９（図２参照）が上下辺縁間に亘って形成されている。また、秘匿紙片４ａ，４ｂは、綴じ合せ辺縁５を除く縦幅が、図１に示すように、上層紙片２及び下層紙片３の縦幅より若干小さく形成されるとともに、該秘匿紙片４ａ，４ｂの横幅は、図２に示すように、上層紙片２の横幅より若干小さく形成されている。これにより、秘匿紙片４ａ，４ｂの綴じ合せ辺縁５を除く三辺縁が、上層紙片２と下層紙片３の三辺縁を接合する後述の強接合部１７及び弱接合部１８より内側に位置するようにしており、三辺縁相互が接合された上層紙片２と下層紙片３内に秘匿紙片４ａ，４ｂを封入し得るようになっている。
【００２１】
秘匿紙片４ａ，４ｂには、図３に示すように、米穀の出荷契約書としての契約条文１０や署名捺印欄１１、被交付者の住所氏名表示欄１２及び秘匿情報としての前年度実績データが記載される秘匿情報複写印字欄１３が印刷形成されている。また、秘匿紙片４ａ，４ｂには、図２，図３に示すように、綴じ合せ辺縁５の内側位置に該綴じ合せ辺縁５に沿うミシン目からなる易切断線１４，１４が形成されている。該易切断線１４，１４は秘匿紙片４ａ，４ｂの上下辺縁間に亘って形成されており、これによって、情報隠蔽帳票１Ａからの切り離しを容易に行い得るようにしている。尚、易切断線１４はミシン目以外のものであってもよく、例えば紙厚を切断しない程度の切込みとして形成されるハーフカット線とすることも可能である。さらに、秘匿紙片４ａ，４ｂは、前記易切断線１４の内側位置で剥離糊１５を介して分離可能に接合されており、これによって二枚が接合された状態で同時に切り離され、かつ、契約書作成後に分離し得るようになっている。
【００２２】
一方、上層紙片２には、秘匿紙片４ａ，４ｂの住所氏名表示欄１２と上下で一致する位置に住所氏名表示欄１２が印刷形成されるとともに、その他の部分に情報隠蔽帳票１Ａの取扱い方法に関する案内表示（図示省略）が印刷形成されている。
【００２３】
前記下層紙片３には、該下層紙片３の横幅を略二等分する位置にミシン目からなる易折り曲げ線１６が形成されている。該易折り曲げ線１６は、下層紙片３の折り曲げを容易とするものであって、下層紙片３の上下辺縁間に亘って綴じ合せ辺縁５と平行に形成されている。尚、易折り曲げ線１６は、ミシン目以外のものであってもよく、例えば紙厚を線状に圧縮した加圧加工線とすることも可能である。
【００２４】
また、上層紙片２と下層紙片３の、前記易折り曲げ線１６に直交する上下の二辺縁のうち、該易折り曲げ線１６より綴じ合せ辺縁５側に位置する部分辺縁相互が糊により強接合部１７（図１参照）として剥離不能に接合されている。一方、前記二辺縁のうち、前記易折り曲げ線１６より貼着辺縁７側に位置する部分辺縁相互と、貼着辺縁７の内側に位置する上層紙片２と下層紙片３の一辺縁相互とが弱接合部１８（図１参照）として剥離可能に接合されている。ここで、弱接合部１８は、図２に示すように、下層紙片３の表面に塗工した糊１９と、該糊１９に対向する上層紙片２の裏面に、ニス或いはメジウムにシリコーンを所定量添加したインキを塗工してなる剥離層２０とによって構成されており、該剥離層２０によって糊１９の接合力を弱めることにより、接合後の剥離が可能となるようにしている。尚、弱接合部１８は、上述した糊１９と剥離層２０の配置関係を逆にして設けることも可能である。
【００２５】
さらに、上層紙片２の上面には、下層紙片３と同一形状に形成された印字案内紙片２１が分離可能に配設されている。該印字案内紙片２１は、図２，図４に示すように、その左右両側縁に施された複数のギャザー加工部２２によって各紙片２，３，４ａ，４ｂの綴じ合せ辺縁５と、下層紙片３の図中右端の一片縁に分離可能に接合されている。この印字案内紙片２１には、秘匿紙片４ａ，４ｂに印刷形成された契約条文１０や署名捺印欄１１、被交付者の住所氏名表示欄１２及び秘匿情報としての前年度実績データが記載される秘匿情報複写印字欄１３（図３参照）と夫々上下で一致する位置に、図４に示すように、契約条文１０’や署名捺印欄１１’、被交付者の住所氏名表示欄１２’及び秘匿情報としての前年度実績データが記載される秘匿情報印字案内欄１３’が印刷形成されている。
【００２６】
また、上層紙片２及び秘匿紙片４ａ，４ｂの夫々の表面には顕色剤層（図示省略）が形成され、これら上層紙片２及び秘匿紙片４ａ，４ｂと夫々上下で重なり合う印字案内紙片２１，上層紙片２，秘匿紙片４ａの裏面には発色剤層（図示省略）が夫々形成されており、該発色剤層の加圧転移によって顕色剤層に発色作用を生じさせるようにしている。これによって情報隠蔽帳票１Ａに加圧複写機能が付与されている。尚、情報隠蔽帳票１Ａに対する加圧複写機能の付与手段としては、上記構成以外に、上下で重なり合うその上部紙の裏面にカーボン層を設ける構成や、下部紙の表面に発色カプセルと顕色剤とからなる発色層を設ける構成等の公知の構成が選択的に適用され得る。
【００２７】
次に、かかる構成からなる情報隠蔽帳票１Ａの使用方法について説明する。
先ず、一方の契約当事者である農業共同組合が、印字案内紙片２１（図４参照）の上面の秘匿情報印字案内欄１３’を含む所定箇所に、ドットプリンタを用いて生産者の住所氏名や前年度実績等のデータを印字すると、各紙片間の複写機能を介して、上層紙片２の住所氏名表示欄１２には生産者の住所氏名データのみが複写印字され、また、契約書である秘匿紙片４ａ，４ｂには、住所氏名表示欄１２（図３参照）に生産者の住所氏名データが複写印字されるとともに、秘匿情報複写印字欄１３に前年度実績データが複写印字される。この秘匿紙片４ａ，４ｂの秘匿情報複写印字欄１３に複写印字された前年度実績データは、秘匿紙片４ａ，４ｂが上層紙片２と下層紙片３間に封入されていることにより、第三者の目から隠蔽される。
【００２８】
前記印字後、農業共同組合は、上面の印字案内紙片２１を分離して控えとし、残りの情報隠蔽帳票１Ａを他方の契約当事者である当該生産者に交付する。情報隠蔽帳票１Ａを持ち帰った生産者は、図５（ａ）に示すように、剥離可能に接合されている上層紙片２と下層紙片３の弱接合部１８を剥離することによって情報隠蔽帳票１Ａを開封する。この時、従来構成のように三辺縁を切り取る必要がないため、その開封作業が容易であり、ゴミが発生することもない。ここで、上記のように開封すると、強接合部１７（図１参照）によって剥離不能に接合されている上層紙片２と下層紙片３の部分辺縁相互と、綴じ合せ辺縁５とによって上層紙片２と下層紙片３の左半部が袋状となる。開封後、秘匿紙片４ａ，４ｂを外側方に引張することによって易切断線１４で切り離して、契約書である秘匿紙片４ａ，４ｂを取り出す。この時、易切断線１４によってその切り離しを容易に行うことができるとともに、秘匿紙片４ａ，４ｂが剥離糊１５（図２参照）を介して分離可能に接合されていることによって、二枚が接合された状態で同時に切り離すことができる。
【００２９】
そして、秘匿紙片４ａ，４ｂに記載されている契約条文１０や秘匿情報複写印字欄１３（図３参照）の前年度実績データ等を確認した後、秘匿紙片４ａ，４ｂの署名捺印欄１１に署名捺印する。この時、秘匿紙片４ａにボールペン等の加圧作用を生じる筆記具を用いて署名すると、秘匿紙片４ａ，４ｂ間の複写機能によって秘匿紙片４ｂに該署名が複写される。
【００３０】
次いで、秘匿紙片４ｂを分離して生産者の控えとし、図５（ｂ）に示すように、秘匿紙片４ａを二つ折り等に折り畳んで前記上層紙片２と下層紙片３とで構成された袋状部２３内に装入することにより、秘匿紙片４ａを該袋状部２３内に保持させることができる。そして、このように秘匿紙片４ａを袋状部２３内に保持させた状態で、図６（ａ）に示すように、貼着辺縁７の剥離紙８を剥がして粘着層９を露出させるとともに、下層紙片３に形成されている易折り曲げ線１６で上層紙片２と下層紙片３を、上層紙片２が内側となるように二つ折り状に谷折りにすることにより、下層紙片３の貼着辺縁７が上層紙片２の対向面に粘着層９を介して接合されて、図６（ｂ）に示すように、秘匿紙片４ａを内部に封入することができる。
【００３１】
これにより、返却時において、従来構成のように封筒や粘着テープを用いることなく、秘匿紙片４ａの再隠蔽を簡単に行うことができる。また、易折り曲げ線１６で上層紙片２が内側となるように谷折りにした上層紙片２と下層紙片３は、下層紙片３の貼着辺縁７が上層紙片２の対向面に接合されているだけであり、易折り曲げ線１６部分を除く三辺縁が全て接合されているものではないため、再開封に際して、接合されていない二辺縁の何れかから上層紙片２と下層紙片３間にペーパーナイフやカッターナイフを差し入れて易折り曲げ線１６部分を外側方に切り裂くことによって、内部に封入されている秘匿紙片４ａを破損させることなく、簡単に開封することができる。
【００３２】
図７，図８は第二実施例にかかる情報隠蔽帳票１Ｂを示し、この第二実施例では、下層紙片３の一辺縁に連成された貼着辺縁７の内側位置に該貼着辺縁７に沿う易折り返し線２４が上下辺縁間に亘って形成され、該易折り返し線２４と綴じ合せ辺縁５の外端間を略二分割する位置に前記易折り曲げ線１６が形成されている。その他、第一実施例と共通する構成部分については第一実施例と同一符号を付して重複説明を省略する。
【００３３】
かかる構成にあっては、上述した秘匿紙片４ａの再隠蔽に際して、貼着辺縁７の剥離紙８を剥がして粘着層９を露出させた状態で、易折り曲げ線１６で上層紙片２と下層紙片３を上層紙片２が内側となるように谷折りにするとともに、図９に示すように、易折り返し線２４で貼着辺縁７を綴じ合せ辺縁５の裏面側に折り返して、該貼着辺縁７を綴じ合せ辺縁５の裏面に粘着層９を介して接合することにより、再開封に際して、上層紙片２と下層紙片３間に差し入れたペーパーナイフやカッターナイフによって、易折り曲げ線１６部分と易折り返し線２４部分の何れの側でも外側方に切り裂くことができる。これにより、再開封作業をより簡単に行うことが可能となっている。
【００３４】
尚、上述した第一実施例では、二枚の秘匿紙片４ａ，４ｂを備えた情報隠蔽帳票１Ａについて説明したが、本発明にかかる情報隠蔽帳票は、秘匿紙片を一枚または三枚以上の複数とすることも可能である。
【００３５】
また、下層紙片３の図中右端の一片縁に形成されるギャザー加工部２２をデータ印字後に除去し得るように、該ギャザー加工部２２と粘着層９との間にミシン目からなる易切断線２５（図１参照）を上下辺縁間に亘って形成してもよい。
【００３６】
また、情報隠蔽帳票１Ａ，１Ｂを、ミシン目からなる易切断線を介して上下方向に連続する葛折り状の折り畳み連続帳票形態とし、その左右両辺縁に紙送りローラのピンが係合する連続孔を形成することも可能である。
【図面の簡単な説明】
【００３７】
【図１】印字案内紙片２１を除去した第一実施例にかかる情報隠蔽帳票１Ａの平面図である。
【図２】同上の情報隠蔽帳票１Ａの縦断面図である。
【図３】秘匿紙片４ａ，４ｂの平面図である。
【図４】印字案内紙片２１の平面図である。
【図５】（ａ）は情報隠蔽帳票１Ａの開封操作状態、（ｂ）は秘匿紙片４ａの袋状部２３への装入操作状態を夫々示す概略斜視図である。
【図６】（ａ）は情報隠蔽帳票１Ａの再封止操作状態を示す概略斜視図、（ｂ）は情報隠蔽帳票１Ａの再封止状態を示す平面図である。
【図７】印字案内紙片２１を除去した第二実施例にかかる情報隠蔽帳票１Ｂの平面図である。
【図８】同上の情報隠蔽帳票１Ｂの縦断面図である。
【図９】情報隠蔽帳票１Ｂの再封止状態を示す縦断面図である。
【図１０】印字案内紙片ｐを除去した従来構成の情報隠蔽帳票Ｂの平面図である。
【図１１】従来構成の情報隠蔽帳票Ｂの縦断面図である。
【図１２】同上の情報隠蔽帳票Ｂの開封，再封止方法を示す説明図である。
【符号の説明】
【００３８】
１Ａ，１Ｂ  情報隠蔽帳票
２  上層紙片
３  下層紙片
４ａ，４ｂ  秘匿紙片
５  綴じ合せ辺縁
７  貼着辺縁
８  剥離紙
９  粘着層
１３  秘匿情報複写印字欄
１３’秘匿情報印字案内欄
１４  易切断線
１６  易折り曲げ線
２１  印字案内紙片
２４  易折り返し線
【図１】
2007307854.tif 000003
【図２】
2007307854.tif 000004
【図３】
2007307854.tif 000005
【図４】
2007307854.tif 000006
【図５】
2007307854.tif 000007
【図６】
2007307854.tif 000008
【図７】
2007307854.tif 000009
【図８】
2007307854.tif 000010
【図９】
2007307854.tif 000011
【図１０】
2007307854.tif 000012
【図１１】
2007307854.tif 000013
【図１２】
2007307854.tif 000014